(57)【特許請求の範囲】
【請求項１】
部屋（２）の換気システムであって、
前記部屋に配置され且つ第１の制御手段（３Ａ）を有する家庭用フード（３）と、
前記部屋に配置され且つ第２の制御手段（４Ａ）を有する壁付ファン（４）と、
前記部屋のガスの複数の特性パラメータのそれぞれを検出するように構成された複数の変換器（５）と、
前記複数の変換器（５）と電気的に接続され且つ前記第１の制御手段（３Ａ）と信号通信する処理及び制御手段（６）であって前記複数の変換器（５）の１又は複数によって検出された前記特性パラメータを処理し且つ前記フィルタフード（３）を制御するために第１の制御信号（Ｓ１）を送信するように構成されたファームウェアを具備する処理及び制御手段（６）と、を具備する、部屋（２）の換気システムにおいて、
前記家庭用フード（３）は、該家庭用フード（３）内に配置された第１の送信機モジュール（３Ｂ）によって前記壁付ファン（４）と信号通信し、且つ、第２の信号（Ｓ２）を送信するように構成され、前記壁付ファン（４）は、該壁付ファン（４）内に配置され且つ前記第２の信号（Ｓ２）を受信するように構成された第１の受信機モジュール（４Ｃ）を具備し、
前記複数のセンサ（５）によって検出された１又は複数の前記特性パラメータがそれぞれの所定閾値を越えたときに、前記第２の信号（Ｓ２）が前記第１の信号（Ｓ１）により前記家庭用フード（３）によって生成され、前記壁付ファン（４）を起動し且つ第１の所定オン時間（Ｔ１）起動状態を維持するように前記第２の制御手段（４Ａ）に対して指令を出すことを特徴とする、部屋（２）の換気システム。
【請求項２】
前記第１の信号（Ｓ１）が、前記家庭用フード（３）を起動し且つ前記第１の信号（Ｓ１）により第２の所定オン時間（Ｔ２）前記起動状態を維持するように更に指令を出す、請求項１に記載の部屋（２）の換気システム。
【請求項３】
前記第１の送信機モジュール（３Ｂ）が無線周波数送信機モジュールであり、前記第１の受信機モジュール（４Ｃ）が無線周波数受信機モジュールである、請求項１又は２に記載の部屋（２）の換気システム。
【請求項４】
前記処理及び制御手段（６）が、前記家庭用フード（３）の前記第１の制御手段（３Ａ）に対して前記第１の無線周波数信号（Ｓ１）を送信するように構成された第２の無線周波数送信機モジュール（６Ｂ）を具備し、前記家庭用フード（３）が、前記第１の無線周波数信号（Ｓ１）を受信するように構成された第２の無線周波数受信機モジュール（３Ｃ）を具備し、検出された１又は複数の前記特性パラメータがそれぞれの所定閾値を越えたときに、前記第２の無線周波数信号（Ｓ２）は、前記第１の制御手段（３Ａ）を起動するために前記処理及び制御手段（６）によって生成される、請求項１から３のいずれか一項に記載の部屋（２）の換気システム。
【請求項５】
前記処理及び制御手段（６）が、前記家庭用フード（３）及び／又は前記壁付ファン（４）の外部にある、請求項１から４のいずれか一項に記載の部屋（２）の換気システム。
【請求項６】
前記処理及び制御手段（６）が前記家庭用フード（３）及び／又は前記壁付ファン（４）内に組み込まれた、請求項１から４のいずれか一項に記載の部屋（２）の換気システム。
【請求項７】
前記複数の変換器（５）が、前記家庭用フード、前記壁付ファン及び／又は前記処理及び制御手段の外部にある、請求項１から６のいずれか一項に記載の部屋（２）の換気システム。
【請求項８】
前記複数の変換器（５）の１又は複数が、前記家庭用フード（３）、前記壁付ファン及び／又は前記処理及び制御手段（６）に組み込まれた、請求項１から６のいずれか一項に記載の部屋（２）の換気システム。
【請求項９】
前記第１の無線周波数送信機モジュール及び前記第２の無線周波数送信機モジュール、並びに、前記第１の無線周波数受信機モジュール及び前記第２の無線周波数受信機モジュールが、Ｂｌｕｅｔｏｏｔｈ、ＩＲ又はＺｉｇｂｅｅの仕様に準拠した、請求項１から８のいずれか一項に記載の部屋（２）の換気システム。
【請求項１０】
前記複数の変換器（５）が、煙検知変換器、臭気検知変換器、温度検知変換器からなる群より選択された、請求項１から９のいずれか一項に記載の部屋（２）の換気システム。
【請求項１１】
前記家庭用フード（３）が、フィルタフードである、請求項１から１０のいずれか一項に記載の部屋（２）の換気システム。
【発明の詳細な説明】
【技術分野】
【０００１】
本発明は、請求項１の導入部で特定された部屋の換気システムに関する。
【背景技術】
【０００２】
フードは、フィルタフードと抽出フードの２つの大きなクラスに分類することができる。
【０００３】
フィルタフードと比較して、抽出フードは、フードが設置された部屋からガスを排出する特徴を有する。
【０００４】
具体的には、抽出フードの構造では、レンジ台上面に位置する電動ファンによって空気が抽出され、その空気はフィルタシステムを通って流れ、そして、ダクトを介して室外に排出される。
【発明の概要】
【発明が解決しようとする課題】
【０００５】
ところが、これらの抽出フードは、ガス排気ダクトの設置のための組積作業が必要であり得るので、既存の部屋に常に設置されない場合がある。
【０００６】
このような欠点の回避を考慮して、十分なろ過効率を達成しているフィルタフードが先行技術において存在しているが、抽出フードによって達成することが可能なガス処理効果をもたらしてはいない。
【０００７】
また、壁付ファン、すなわち、部屋からガスを抽出し、ガスを外部に排出することが可能なこれらの種類のファンも知られている。
【０００８】
具体的には、これらの壁付ファンには、壁の厚み又は窓ガラスなどの厚みを介して延びたダクトを通って空気が室外に排出されるように、羽根車を駆動させる電動機が含まれている。
【０００９】
これらの壁付ファンには、熟練でない者でも容易に実行可能な、負担の少ない組積作業が必要である。
【００１０】
さらに、これらのファンの抽出効率は、抽出フードによって得られる抽出効率と同等である。
【００１１】
それにもかかわらず、上述のフード及びファンは、独立型の装置、すなわち自律運転用に設計された装置である。
【００１２】
したがって、ユーザは、自明で想像可能な結果を伴うように、２つの別個の装置の動作を理解し、特定の要件に応じて２つの装置を制御する必要がある。
【課題を解決するための手段】
【００１３】
本発明の目的の一つは、食品の準備／調理などから発生するガス中に含まれる物質の効率的なろ過をすることが可能な、部屋、例えばキッチンの換気システムを提供することである。
【００１４】
本発明の役割の一つは、設置に高価な組積作業が必要でない部屋の換気システムを提供することである。
【００１５】
本発明の別の役割は、安価であり、ユーザが容易に利用可能な部屋の換気システムを提供することである。
【００１６】
本発明によれば、これらの目的及び他の目的は、以下において十分に理解されるように、請求項１の特徴により規定されているフィルタフードと壁付ファンとを備えた特徴を有する部屋の換気システムによって達成される。
【００１７】
添付図面は、本開示の例示的な実施形態を示し、例示としてのものであり、限定されない。
【図面の簡単な説明】
【００１８】
【図１】本発明に係る部屋の換気システムの斜視図を示す。
【図２】図１の換気システムのブロック図を示す。
【発明を実施するための形態】
【００１９】
添付図面を参照すると、本開示は、部屋に配置された家庭用フード３、具体的にはフィルタフードと、かかる部屋に配置された壁付ファン４とを備えた、部屋２の換気システム１に関する。
【００２０】
部屋２は、例えば、家庭のキッチン、又は、コーヒーバー、レストランなどの公共空間であってもよい。
【００２１】
本明細書に用いられるフィルタフード３という用語は、
部屋のガスを抽出し、
ガスをろ過し、そして、
ガスがろ過されると、そのガスを部屋に再導入するのに必要な装置を含む構造を有する装置をいう。
【００２２】
具体的には、フィルタフード３は、フィルタフード３の動作状態を変更するように適切に制御される制御手段３Ａを備えている。
【００２３】
例えば、制御手段３Ａは、オン状態（フードがガスを抽出し、ガスをろ過し、ガスがろ過されると、そのガスを部屋に再導入する。）からオフ状態に、又はオフ状態からオン状態に、フード３及び／又はスイッチの特定機能を作動させてもよい。
【００２４】
例えば、制御手段３Ａは、電気的に制御可能なスイッチから構成される。
【００２５】
他の場合、スイッチは、手動で制御されてもよい。
【００２６】
本明細書に用いられる壁付ファン４という用語は、
部屋のガスを抽出し、
例えば部屋２の外壁又は部屋２の窓ガラスなどの厚みを介し延びた適切な排気ダクトを通して、部屋からガスを排出するのに必要な装置を含む構造を有する装置をいう。
【００２７】
具体的には、壁付ファン４は、ファン４の動作状態を変更するように適切に制御される制御手段４Ａを備えている。
【００２８】
例えば、制御手段４Ａは、オン状態（ファンが部屋２からガスを抽出し、部屋２からガスを排出するか、若しくはその逆である。）からオフ状態に、又はオフ状態からオン状態に、ファン４を切り換えるように構成される。
【００２９】
例えば、制御手段４Ａは、電気的に制御可能なスイッチから構成される。
【００３０】
壁付ファン４は、リバーシブル型、すなわち、外部から空気を引き込み、その空気を部屋２に導入するように構成されたものであってもよいことに留意する必要がある。
【００３１】
可逆的動作の場合、適切なフィルタ４Ｂは、流入空気、例えばＨＥＰＡをフィルタするように設けられている。
【００３２】
換気システム１は複数の変換器５を備え、この変換器は、部屋２のガスの複数の特性パラメータそれぞれを検出するように構成されている。
【００３３】
例えば、複数の変換器５は、温度、湿度、煙、臭気などを検出することが可能な変換器（又はセンサ）を備えている。
【００３４】
これらの変換器は公知の種類のものであり、詳細に説明しない。
【００３５】
換気システム１は、複数の変換器５と信号通信する処理及び制御手段６を備えている。
【００３６】
処理及び制御手段６は、例えば電気ケーブル接続によって、複数の変換器５と電気的に接続されていることが好ましい。
【００３７】
例えば、処理及び制御手段６は、マイクロコントローラなどの電子処理装置から構成される。
【００３８】
処理及び制御手段６は、ファームウェアを含むメモリ６Ａを備えている。
【００３９】
ファームウェアは、１つ以上のアルゴリズム、すなわち、操作順序であって、適切なプログラムコードによって符号化され、以下により詳細に説明されるような特定のタスクを達成するように開発された操作順序を含んでいる。
【００４０】
これらの処理及び制御手段６は、複数の変換器５によって検出された特性パラメータの複数の値を受信し、かかる値を処理し、フード３のみ、ファン４のみ、又はこれらの両方を作動させる必要があるか否か、並びにファン４及び／又はフード３の作動時間を決定するように構成されている。
【００４１】
また、処理及び制御手段６は、フード３の制御手段３Ａを用いケーブル又は無線周波を介して送信可能な電気信号Ｓ１により、信号通信している。
【００４２】
具体的には、ファームウェアに実装されるアルゴリズムによって、変換器５により検出された特性パラメータの値を、適切な閾値Ｖｔｈに対して評価することができる。この比較は、ファン４及び／又はフード３のオン時間（若しくはオン時間間隔）を提供する。
【００４３】
この目的上、フード３は、かかるフード３に含まれるケーブル又は無線周波送信機モジュールを介して壁付ファン４と信号通信しており、ケーブル又は無線周波を介して信号Ｓ２を送信するように構成されている。
【００４４】
壁付ファン４は、フード３の送信機モジュール３Ｂによって発生したケーブル信号Ｓ２又は無線周波数信号Ｓ２を受信するように構成されている、第１のケーブル又は無線周波受信機モジュール４Ｃを備えていることが有利である。
【００４５】
ケーブル又は無線周波数信号Ｓ２は、具体的には、変換器５によって検出された前述の特性パラメータの１つ以上が、それぞれの所定閾値Ｖｔｈを超える場合、制御手段４Ａを制御するように、フード３によって発生する。
【００４６】
換言すると、信号Ｓ２は、処理及び制御手段６により発生した信号Ｓ１の情報の内容に応じて発生する。
【００４７】
したがって、信号Ｓ２は、ファン４のオン／オフ情報、並びに壁付ファン４及び／又はフード３のオン時間間隔Ｔ１に関する情報を表す。
【００４８】
ファン４のオン時間Ｔ１は、変換器５により検出された値を処理する処理及び制御手段６によって決定されることに留意する必要がある。
【００４９】
換言すると、変換器５が、１つ以上の特性パラメータがそれぞれの閾値を超えると評価する場合、処理及び制御手段６は、ファームウェアアルゴリズムに基づいて、制御手段３Ａを作動させ、そして、制御手段３Ａは、信号Ｓ２を発生させるように、フード３の送信機モジュールに命令する。この信号Ｓ２はファン４の受信手段４Ｃによって受信され、制御手段４Ａは、時間Ｔ１、ファン４のスイッチを入れる。例えば、変換器が臭気を検出すると、処理及び制御手段６は、ファームウェアアルゴリズムに基づいて、ファン４のオン時間間隔を決定し、フード３の制御手段３Ａを起動させるように命令する。そして、制御手段３Ａは、信号Ｓ２を発生させるように、フード３の送信機モジュールに命令する。この信号Ｓ２はファン４の受信手段４Ｃによって受信され、制御手段４Ａは、時間Ｔ１、ファン４のスイッチを入れる。
【００５０】
変換器５によって検出される値が、それぞれの所定閾値を下回る場合、制御手段６は、信号Ｓ２を発生させファン４を止めるように、フード３の制御手段３Ａに命令する。
【００５１】
ただし、変換器５によって検出された特性パラメータ（臭気、臭気及び煙、若しくは煙及び温度、又は煙、臭気及び温度のいずれかの組合せなど）の値が、それぞれの閾値の１つ以上を超える場合、ファン４の起動に加えて、制御手段６のファームウェアは、制御手段３Ａに、フィルタフード３を起動させ、所定のオン時間Ｔ２、フィルタフードをこの状態に維持するようにも命令する。
【００５２】
このような構成により、フィルタフード３及び壁付ファン４は、快適性、消費及び空気の質の点から効率性を最大限にするように、ろ過及び抽出機能に関与する。
【００５３】
オン時間Ｔ２は、変換器５によって検出された値を処理する処理及び制御手段６によって再度決定される。
【００５４】
ファン４のオン時間Ｔ１は、フード３のオン時間Ｔ２と時間が異なっていてもよいことに留意する必要がある。
【００５５】
本発明の換気システムでは、フード３は、ファン４及び／又はフードのオン／オフ信号のハブ又は処理センターとして機能する利点がある。
【００５６】
さらに、本発明の換気システムによって、ユーザは、部屋２のガスのろ過及び抽出のために、フィルタフード３及び壁付ファン４を別々に制御する必要がないが、これらのいずれか又は両方（すなわち、ファン４のみ、フィルタフード３のみ、若しくはフード３とファン４の両方）は、変換器５によって検出されるように、部屋２のガスの特定条件に応じて、それぞれの所定間隔Ｔ１及びＴ２、作動する。
【００５７】
好適な実施形態によれば、複数の変換器５のうちの１つ以上又はすべては、フード３の内側及び／又は外側に、壁付ファン４及び／又は処理及び制御手段６の内側及び／又は外側に配置することができ、これは、各部が、ファン４、フード３又は処理及び制御手段６のそれぞれの本体から離れてもよく及び／又はそれぞれの本体に組み込まれていてもよいことを意味する。
【００５８】
また、図１及び２に示されているように、処理及び制御手段６は、フード３、ファン４及び／又はレンジ台７の本体に対して、遠隔又は内蔵型装置として配置することもできる。
【００５９】
フード３の本体から離れて処理及び制御手段６が配置される場合、これらの処理及び制御手段６は、信号Ｓ１、すなわち無線周波数信号をフード３の制御手段３Ａに送信するように構成された、無線周波送信機モジュール６Ｂを備えていてもよい。
【００６０】
この目的から、フード３は、かかる第２の無線周波数信号Ｓ１を受信するように構成された無線周波受信機モジュール３Ｃを備えている。
【００６１】
この無線周波数信号Ｓ１は、前述の検出された特性パラメータの１つ以上が、それぞれの所定閾値を超える場合、フード３の動作状態の変更を制御するように、処理及び制御手段６によって常に発生する。
【００６２】
好適な実施形態によれば、無線周波送信機モジュール３Ｂ、３Ｃ、４Ｂ及び６Ｂは、Bluetooth（登録商標）、IR、Zigbee（登録商標）規格などの規格に準拠している。
【００６３】
当業者であれば、付帯的及び特定の必要性を満たすように、前述した構成に対して多くの変更及び変形がなされ得ることを明らかに認識する。これらの変形及び変更のすべては、次の特許請求の範囲に規定されているように、本発明の範囲内に入る。
【図１】
0006321783.tif 000002
【図２】
0006321783.tif 000003